(57)【特許請求の範囲】
【請求項１】
本体内部に少なくとも室外熱交換器を収納し、前記室外熱交換器の外側にリアガードを備えた冷凍空調装置の室外機において、
前記リアガードは、
複数本の横桟と、複数本の縦桟とを有し、
前記複数本の横桟の一部の一方の端部を前記本体の係止部に係止させ、
前記複数本の横桟の一部の他方の端部を前記室外熱交換器の端部の孔部に差し込み、前記他方の端部を前記本体のパネルで押さえ込むことで固定され、
前記本体の係止部は、長孔と、前記長孔の下方に係止孔とを有し、
前記横桟の一方の端部は、略Ｕ字状に成形され、
前記横桟の一方の端部を前記本体の係止部に係止させる際に、前記Ｕ字状の端部を前記長孔に通した後前記係止孔方向に下げ、前記Ｕ字状の先端を前記係止孔に係止させることを特徴とする冷凍空調装置の室外機。
【請求項２】
前記横桟は、両端付近に該リアガードに弾性を持たせるための屈曲部を有することを特徴とする請求項１記載の冷凍空調装置の室外機。
【請求項３】
前記本体の係止部と前記室外熱交換器の端部の孔部との間の間隔を、前記横桟の長さより長くしたことを特徴とする請求項２記載の冷凍空調装置の室外機。
【請求項４】
前記横桟の他方の端部の先端は、前記リアガードを前記本体に取付けた状態で、下方に所定角度傾斜していることを特徴とする請求項１乃至３のいずれかに記載の冷凍空調装置の室外機。
【請求項５】
前記横桟の直径を、前記縦桟の直径よりも大きくしたことを特徴とする請求項１乃至４のいずれかに記載の冷凍空調装置の室外機。
【発明の詳細な説明】
【技術分野】
【０００１】
この発明は、空気調和機に代表される冷凍空調装置の室外機に関する。さらに詳しくは、室外機の背面に熱交換器に対向して設けられるリアガードの取付構造に関するものである。
【背景技術】
【０００２】
従来の空気調和機の室外機には、熱交換器に対向して設けられるリアガードを備えるものがある。リアガードは、複数本の縦桟と横桟とを網目状に組み合わせたものである。リアガードを室外機へ取り付ける場合、縦桟の両端部を室外機本体（筐体）に挟み込み、略中央部の横桟の両端部をネジにより室外機本体に固定する。
【０００３】
また、本体の室外側熱交換器に面する側板に開口を形成し、同開口部にフィンガードを取付けてなる空気調和機において、開口部の側縁に所要数の受け溝を形成し、同受け溝にフィンガードの横桟の両端を突出した保持端を引掛けるとともに、同フィンガードの縦桟の上端を折り曲げた引掛け端を室外側熱交換器の冷媒管に引掛け、同じくフィンガードの縦桟の下端を底板の縁に引掛けて固定する空気調和機のガード取付構造が提案されている（例えば、特許文献１参照）。
【特許文献１】実開平４−４６３４号公報
【発明の開示】
【発明が解決しようとする課題】
【０００４】
上記従来の空気調和機の室外機は、リアガードをネジ固定する際の作業性を考慮して、ネジ固定の前に仮止めをする必要があった。そのため、作業効率が悪いという課題があった。
【０００５】
また、ネジ固定部以外の仮止め部では、引張力に耐えられず仮止め部から分離が起きることや変形することで強度不足が懸念される課題があった。
【０００６】
さらに、上記特許文献１に記載された空気調和機のガード取付構造は、上下左右の仮止めのみで固定しているので、外れやすく安全性に課題があった。
【０００７】
この発明は、上記のような課題を解決するためになされたもので、リアガードの室外機への固定の作業効率を高めること、且つ工具を使用しなければリアガードを室外機から取り外せない構成とすることで安全性に優れた冷凍空調装置の室外機を提供することを目的とする。
【課題を解決するための手段】
【０００８】
この発明に係る冷凍空調装置の室外機は、本体内部に少なくとも室外熱交換器を収納し、室外熱交換器の外側にリアガードを備えた冷凍空調装置の室外機において、リアガードは、複数本の横桟と、複数本の縦桟とを有し、複数本の横桟の一部の一方の端部を本体の係止部に係止させ、複数本の横桟の一部の他方の端部を室外熱交換器の端部の孔部に差し込み、他方の端部を本体のパネルで押さえ込むことで固定されることを特徴とする。
【発明の効果】
【０００９】
この発明に係る冷凍空調装置の室外機は、リアガードを、複数本の横桟の一部の一方の端部を本体の係止部に係止させ、複数本の横桟の一部の他方の端部を熱交換器の端部の孔部に差し込み、他方の端部を本体のパネルで押さえ込むことで固定される構成にしたので、リアガードの室外機への固定の作業効率を高めることができる。また、本体の一部で押さえ込まれた他方の端部は、工具を使用しなければ取り外せない構成なので、安全性に優れる。
【発明を実施するための最良の形態】
【００１０】
実施の形態１．
冷凍空調装置の室外機の一例として、空気調和機の室外機について以下説明を行う。
【００１１】
図１乃至図１４は実施の形態１を示す図で、図１は空気調和機の室外機１００を背面左側から見た斜視図、図２は空気調和機の室外機１００を背面右側から見た一部分解斜視図、図３はリアガード６の正面図、図４はリアガード６の斜視図、図５はリアガード６の要部（横桟６ａの右側端部付近）の斜視図、図６はリアガード６の要部（横桟６ａの左側端部付近）の斜視図、図７はリアガード６の要部（横桟６ａの左側端部付近）の側面図（ａ）と平面図（ｂ）、図８はフロントパネル２を裏面から見た斜視図、図９はフロントパネル２を背面から見た部分斜視図、図１０はリアガード６の右側を本体１に取り付ける前の状態を示す斜視図、図１１はリアガード６の右側を本体１に取り付けた状態を示す斜視図、図１２はリアガード６の左側を室外熱交換器７に取り付ける前の状態を示す斜視図、図１３はリアガード６の左側を室外熱交換器７に取り付けた状態を示す斜視図、図１４はリアガード６の左側をサイドパネル３で押さえ込んだ状態を示す斜視図である。
【００１２】
本実施の形態は、室外熱交換器７の外側に設けられるリアガード６の本体１への取付構造に特徴がある。
【００１３】
先ず、空気調和機の室外機１００の全体構成を説明する。但し、リアガード６の取付構造に密接に関係する本体１（筐体）を中心に説明を行う。リアガード６は、本体１（筐体）の背面に室外熱交換器７に対向して設けられる。リアガード６は、文字通り保護部材であり、室外熱交換器７を保護する。例えば、リアガード６の網目より大きな物体が室外熱交換器７に当たるのを防ぐ。また、空気調和機の室外機１００の意匠性を向上させる。さらに、リアガード６の近傍には、室外熱交換器７（薄いフィンを備えるので危険）があることの注意を促す効果もある。僅かではあるが、本体１（筐体）の強度を向上させる効果もある。
【００１４】
図１に示すように、空気調和機の室外機１００は、本体１（筐体）の内部に図示しない室外熱交換器、送風機、圧縮機等を収納している。室外熱交換器は、冷凍サイクルに組み込まれる。そして、室外熱交換器において冷凍サイクルを流れる冷媒と室外の空気が熱交換を行う。室外熱交換器は、冷房運転時には凝縮器、暖房運転時には蒸発器として作用する。送風機は、室外熱交換器に送風を行いその熱交換を促進する。圧縮機は、冷凍サイクルで最も重要な部分である。そして、圧縮機は、低温・低圧のガス冷媒を高温・高圧のガス冷媒に圧縮する。室外熱交換器と、圧縮機は、後の説明において若干触れる。
【００１５】
本体１（筐体）は、フロントパネル２、サイドパネル３、トップパネル４、ベース５（底板）、サービスパネル（図示せず）、仕切板（図示せず）等で構成される。
【００１６】
フロントパネル２は、図８に示すように、前面部２ａと、側面部２ｂ（前面から見て左側）と、背面部２ｃとからなる。
【００１７】
前面部２ａには、空気の吹出し口２ａ−１が２個形成されている。この２個の吹出し口２ａ−１は、図示しない２台の送風機に対向している。これらの吹出し口２ａ−１には、図示しないグリルが取付けられる。
【００１８】
側面部２ｂには、空気の吸込み口２ｂ−１が多数開けられている。
【００１９】
背面部２ｃには、後述するが、リアガード６の一端（背面から見て右側）を係止する係止部１０（図９参照）が形成されている。係止部１０は上下方向の複数箇所に設けられる。係止部１０の数は、機種により異なる。図１の例では、係止部１０は３箇所である。
【００２０】
サイドパネル３（本体のパネルの一例）は、側面部３ａと、背面部３ｂとからなるＬ字状のパネルである。サイドパネル３の側面部３ａにサービスパネル（図示せず、前面側に設けられる）が組み合わされる。これらは、上から見て略コ字状（前面から見る）の空間を形成する。この略コ字状のコの字の開口部を仕切板（図示せず、室外熱交換器７等と圧縮機８（図２参照）等との仕切り）で仕切り、機械室を形成する。機械室の内部に圧縮機８等を収納する。サービスパネルは、取外しが可能になっていて、空気調和機の室外機１００の保守・点検時に取り外される。
【００２１】
サイドパネル３には、リアガード６の他端（他方の端部、背面から見て左側）を押さえる押さえ部３ｃ（図１４参照）が上下３箇所に形成されている。
【００２２】
トップパネル４（天面パネル）は、本体１の天面を構成する。リアガード６の取付には関係しない。
【００２３】
ベース５（底板）は、本体１の底面を構成する。ベース５は、圧縮機８、室外熱交換器７、送風機（図示せず）等を載置する。
【００２４】
本体１の背面は、フロントパネル２の背面部２ｃとサイドパネル３の背面部３ｂとの間に大きな開口部１ａがある。この開口部１ａは、室外熱交換器７と対向している。開口部１ａは、空気の吸込み口になる。開口部１ａに、室外熱交換器７と対向するようにリアガード６が取付けられる。
【００２５】
図２は空気調和機の室外機１００から、サイドパネル３とリアガード６を取り外した状態の斜視図である。サイドパネル３を外しているので、機械室の圧縮機８及び室外熱交換器７の端板７ａが見えている。
【００２６】
後述するが、室外熱交換器７の端板７ａに形成される孔部７ｂ（図１２参照）に、リアガード６の他端が差し込まれる。また、端板７ａの孔部７ｂに、サイドパネル３がネジ止めされる。リアガード６の他端は、サイドパネル３と室外熱交換器７の端板７ａとで固定される。
【００２７】
次に、リアガード６の構成を、図３乃至図７を参照しながら説明する。図３、図４に示すように、リアガード６は、縦桟６ｂと、横桟６ａとからなる格子状の構成である。この例では、縦桟６ｂが４本、横桟６ａが７本である。
【００２８】
縦桟６ｂと横桟６ａの材料に、鉄線を用いる。横桟６ａの直径は約３ｍｍ、縦桟６ｂの直径は約２．５ｍｍで、横桟６ａの直径は縦桟６ｂの直径よりも大きい。これは、リアガード６の固定を横桟６ａで行うためである。縦桟６ｂは、リアガード６の固定には関係しないので、コストを下げるために横桟６ａより細くしている。
【００２９】
縦桟６ｂと横桟６ａは、耐候性を考慮して、鉄線に表面に樹脂コーティングが施される。樹脂は、例えば、ビニールである。
【００３０】
リアガード６の縦桟６ｂ間及び横桟６ａ間の寸法は、一例では約２１０ｍｍである。
【００３１】
リアガード６は、本体１に取付けられるが、横桟６ａの中の一部を用いてその取付を行う。図３、図４に示すリアガード６の場合は、７本の中の３本（上、中央、下）が取付けに使用される。
【００３２】
これら３本の横桟６ａの構成を、図５、図６を参照しながら説明する。先ず、横桟６ａの右側端部（一方の端部、リアガード６を本体１に取付けた状態で背面から見て右側）の構成を説明する。図５に示す横桟６ａは、３本の中の一番上に位置するものであるが、他の２本も同じ構成である。
【００３３】
横桟６ａの右側端部は、屈曲部６ａ−２とＵ字状部６ａ−１とを備える。屈曲部６ａ−２は、内側（本体１側）に向かって屈曲している。横桟６ａの中央部の直線部と屈曲部６ａ−２とのなす角度（α）は鈍角である。
【００３４】
屈曲部６ａ−２の右側に、Ｕ字状部６ａ−１が形成される。Ｕ字状部６ａ−１は、横桟６ａの中央部の直線部に平行で、Ｕ字を略９０°反時計方向に回転した状態になっている。
【００３５】
横桟６ａの左側端部（他方の端部、リアガード６を本体１に取付けた状態で背面から見て左側）の構成を説明する。図６に示すように、横桟６ａの左側端部は、屈曲部６ａ−３と差し込み部６ａ−４とを備える。屈曲部６ａ−３は、右側端部の屈曲部６ａ−２と略対称である。差し込み部６ａ−４は、右側端部の先端に設けられる。差し込み部６ａ−４は、横桟６ａの中央部の直線部に対して略直角に設けられる。差し込み部６ａ−４は、本体１側に向かって延びている。
【００３６】
さらに、図７に示すように、差し込み部６ａ−４は、水平方向に対して下に傾いている。即ち、図７（ａ）に示すように、差し込み部６ａ−４は、水平方向に対して下に１０〜１５°傾いている。
【００３７】
横桟６ａの左右端部に、屈曲部６ａ−２、屈曲部６ａ−３を設けるのは、横桟６ａに弾性を持たせるためである。
【００３８】
次に、リアガード６が係合する本体１側の構成を説明する。図９はフロントパネル２を背面から見た部分斜視図、図１０はリアガード６の右側を本体１に取り付ける前の状態を示す斜視図、図１１はリアガード６の右側を本体１に取り付けた状態を示す斜視図である。
【００３９】
図９に示すように、フロントパネル２の背面部２ｃには、その端部に係止部１０を備える。係止部１０は、上下方向に必要に応じて数箇所に設けられる。本実施の形態では、係止部１０は３箇所に設けられる（図１参照）。但し、係止部１０は、何箇所あってもよく、また使用しない係止部１０があってもよい。
【００４０】
図９は最上部の係止部１０を示している。そして、係止部１０は上下方向に長い長孔１０ａと、長孔１０ａの下に開けられる長孔１０ａより小さい係止孔１０ｂとからなる。フロントパネル２の背面部２ｃの端部は、内側に略９０°折り曲げられている。長孔１０ａと係止孔１０ｂは、その角部に開けられる。
【００４１】
リアガード６を本体１に取り付ける場合は、先ず横桟６ａの右側端部をフロントパネル２の背面部２ｃの係止部１０に係止させる。図１０は、リアガード６をフロントパネル２の背面部２ｃの係止部１０に係止させる直前の状態を示している。
【００４２】
横桟６ａの右側端部をフロントパネル２の背面部２ｃの係止部１０に係止させる際、先ず横桟６ａの右側端部のＵ字状部６ａ−１を長孔１０ａに通す。３箇所のＵ字状部６ａ−１を略同時に夫々に対応する長孔１０ａに通す。
【００４３】
横桟６ａの右側端部の３箇所のＵ字状部６ａ−１を夫々に対応する長孔１０ａに通したら、リアガード６を下に下げてＵ字状部６ａ−１の先端が係止孔１０ｂに臨む位置にする。そして、リアガード６を本体１の背面の斜め後方に引いて、Ｕ字状部６ａ−１の先端を係止孔１０ｂに入れる。これで、横桟６ａの右側端部の本体１への係止が完了する。この状態を、図１１に示す。
【００４４】
次に、リアガード６の横桟６ａの左側端部（リアガード６を本体１に取付けた状態で、背面から見て左側）が係合する室外熱交換器７の端板７ａの構成を説明する。室外熱交換器７は、その左側端部（背面から見て左側）に、平面視が略コ字状の端板７ａを備える。
【００４５】
略コ字状の端板７ａの室外熱交換器７の背面側に延出した部分に、孔部７ｂを複数個備える。この孔部７ｂにリアガード６の横桟６ａの左側端部の差し込み部６ａ−４が、差し込まれる。
【００４６】
フロントパネル２の背面部２ｃの係止部１０と室外熱交換器７の端板７ａの孔部７ｂとの間の間隔は、リアガード６の長さ（力が加わらないフリーな状態の）より長くなっている。
【００４７】
そのため、室外熱交換器７の端板７ａの孔部７ｂにリアガード６の横桟６ａの左側端部の差し込み部６ａ−４を差し込むに際、リアガード６の横桟６ａの屈曲部６ａ−２、屈曲部６ａ−３の曲げ角度（α）が大きくなる方向にリアガード６を引っ張って伸ばす（横桟６ａの右側端部はフロントパネル２の背面部２ｃの係止部１０に係止されているので、そこを支点にして左方向に力を加える）。
【００４８】
リアガード６の横桟６ａの左側端部の差し込み部６ａ−４が、室外熱交換器７の端板７ａの孔部７ｂに差し込まれた状態を、図１３に示す。この状態では、リアガード６は引っ張り力を加えて取付けられているので、リアガード６には引っ張り力が働いていて容易に外れない。
【００４９】
また、図７に示すように、リアガード６の横桟６ａの左側端部の差し込み部６ａ−４は、水平方向に対して下に１０〜１５°傾いている。そのため、リアガード６の横桟６ａの左側端部の差し込み部６ａ−４が、室外熱交換器７の端板７ａの孔部７ｂに差し込まれた状態では、差し込み部６ａ−４が孔部７ｂから抜けにくい。
【００５０】
リアガード６の横桟６ａの左側端部は、図１４に示すように、サイドパネル３で押さえられる。サイドパネル３には、リアガード６の横桟６ａの左側端部を押さえる押さえ部３ｃが上下３箇所に形成されている。サイドパネル３は、ネジにより室外熱交換器７の端板７ａの孔部７ｂに固定される。このとき、サイドパネル３の押さえ部３ｃは、リアガード６の横桟６ａの左側端部を室外熱交換器７の端板７ａに押さえつけるので、リアガード６の横桟６ａの左側端部は確実に固定される。
【００５１】
本実施の形態におけるリアガード６は、以下のような効果を奏する。
（１）横桟６ａの右側端部の３箇所のＵ字状部６ａ−１を、夫々に対応するフロントパネル２の背面部２ｃの係止部１０の長孔１０ａに通し、リアガード６を下に下げてＵ字状部６ａ−１の先端が係止孔１０ｂに臨む位置にした後、リアガード６を本体１の背面の斜め後方に引いて、Ｕ字状部６ａ−１の先端を係止孔１０ｂに入れるので、横桟６ａの右側端部は、確実にフロントパネル２の背面部２ｃに係止される。
（２）横桟６ａの左右端部に屈曲部６ａ−２、屈曲部６ａ−３を設けることにより、横桟６ａに弾性を持たせることができる。
（３）フロントパネル２の背面部２ｃの係止部１０と室外熱交換器７の端板７ａの孔部７ｂとの間の間隔は、リアガード６の長さより長くなっているので、室外熱交換器７の端板７ａの孔部７ｂにリアガード６の横桟６ａの左側端部の差し込み部６ａ−４を差し込むに際、リアガード６の横桟６ａの屈曲部６ａ−２、屈曲部６ａ−３の曲げ角度（α）が大きくなる方向にリアガード６を引っ張って伸ばす必要がある。リアガード６は引っ張り力を加えられて取付けられているので、リアガード６には引っ張り力が働いていて容易に外れない。
（４）リアガード６の横桟６ａの左側端部の差し込み部６ａ−４は、水平方向に対して下に１０〜１５°傾いているため、リアガード６の横桟６ａの左側端部の差し込み部６ａ−４が、室外熱交換器７の端板７ａの孔部７ｂに差し込まれた状態では、差し込み部６ａ−４が孔部７ｂから抜けにくい。
（５）サイドパネル３の押さえ部３ｃは、リアガード６の横桟６ａの左側端部を室外熱交換器７の端板７ａに押さえつけるので、リアガード６の横桟６ａの左側端部は確実に固定される。
（６）リアガード６の取付に関係しない縦桟６ｂの直径を、横桟６ａの直径より小さくすることにより、材料費を下げることができる。
【００５２】
この発明の実施の形態に係る冷凍空調装置の室外機は、本体の係止部は、長孔と、長孔の下方に係止孔を有し、横桟の一方の端部は、略Ｕ字状に成形され、横桟の一方の端部を本体の係止部に係止させる際に、Ｕ字状の端部を長孔に通した後係止孔方向に下げ、Ｕ字状の先端を係止孔に係止させる構成にしたので、横桟の一方の端部を確実に本体の係止部に係止させることができる。
【００５３】
この発明の実施の形態に係る冷凍空調装置の室外機は、横桟が両端付近に屈曲部を有する構成にしたので、リアガードに弾性を持たせることができる。
【００５４】
この発明の実施の形態に係る冷凍空調装置の室外機は、本体の係止部と室外熱交換器の端部の孔部との間の間隔を、横桟の長さより長くしたことにより、リアガードは引っ張り力を加えられて取付けられるので、リアガードには引っ張り力が働いていて容易に外れない。
【００５５】
この発明の実施の形態に係る冷凍空調装置の室外機は、横桟の他方の端部の先端は、リアガードを本体に取付けた状態で、下方に所定角度傾斜していることにより、横桟の他方の端部が室外熱交換器の孔部に差し込まれた状態では、横桟の他方の端部の先端が孔部から抜けにくい。
【００５６】
この発明の実施の形態に係る冷凍空調装置の室外機は、横桟の直径を、縦桟の直径よりも大きくしたことにより、材料費を低減できる。
【図面の簡単な説明】
【００５７】
【図１】実施の形態１を示す図で、空気調和機の室外機１００を背面左側から見た斜視図。
【図２】実施の形態１を示す図で、空気調和機の室外機１００を背面右側から見た一部分解斜視図。
【図３】実施の形態１を示す図で、リアガード６の正面図。
【図４】実施の形態１を示す図で、リアガード６の斜視図。
【図５】実施の形態１を示す図で、リアガード６の要部（横桟６ａの右側端部付近）の斜視図。
【図６】実施の形態１を示す図で、リアガード６の要部（横桟６ａの左側端部付近）の斜視図。
【図７】実施の形態１を示す図で、リアガード６の要部（横桟６ａの左側端部付近）の側面図（ａ）と平面図（ｂ）。
【図８】実施の形態１を示す図で、フロントパネル２を裏面から見た斜視図。
【図９】実施の形態１を示す図で、フロントパネル２を背面から見た部分斜視図。
【図１０】実施の形態１を示す図で、リアガード６の右側を本体１に取り付ける前の状態を示す斜視図。
【図１１】実施の形態１を示す図で、リアガード６の右側を本体１に取り付けた状態を示す斜視図。
【図１２】実施の形態１を示す図で、リアガード６の左側を室外熱交換器７に取り付ける前の状態を示す斜視図。
【図１３】実施の形態１を示す図で、リアガード６の左側を室外熱交換器７に取り付けた状態を示す斜視図。
【図１４】実施の形態１を示す図で、リアガード６の左側をサイドパネル３で押さえ込んだ状態を示す斜視図。
【符号の説明】
【００５８】
１  本体、１ａ  開口部、２  フロントパネル、２ａ  前面部、２ａ−１  吹出し口、２ｂ  側面部、２ｂ−１  吸込み口、２ｃ  背面部、３  サイドパネル、３ａ  側面部、３ｂ  背面部、３ｃ  押さえ部、４  トップパネル、５  ベース、６  リアガード、６ａ  横桟、６ａ−１  Ｕ字状部、６ａ−２  屈曲部、６ａ−３  屈曲部、６ａ−４  差し込み部、６ｂ  縦桟、７  室外熱交換器、７ａ  端板、７ｂ  孔部、８  圧縮機、１０  係止部、１０ａ  長孔、１０ｂ  係止孔、１００  空気調和機の室外機。
【図１】
0004980249.tif 000002
【図２】
0004980249.tif 000003
【図３】
0004980249.tif 000004
【図４】
0004980249.tif 000005
【図５】
0004980249.tif 000006
【図６】
0004980249.tif 000007
【図７】
0004980249.tif 000008
【図８】
0004980249.tif 000009
【図９】
0004980249.tif 000010
【図１０】
0004980249.tif 000011
【図１１】
0004980249.tif 000012
【図１２】
0004980249.tif 000013
【図１３】
0004980249.tif 000014
【図１４】
0004980249.tif 000015